Podtech/llm-jp-corpus-v4-ja_patent huggingface dataset:
(57)【要約】      （修正有）【課題】貝殻の外周面に塗布することにより、海藻類やフジツボ等の付着植生を防止して養殖貝の成育を促進する炭染料剤を提供する。【解決手段】炭微粒子をチッソ系乃至銅系の合成樹脂溶剤に混合した炭染料剤４を、貝殼外周面に塗布した貝１は海水中で長期間にわたり養殖されるが、この養殖中は貝殻の外周面に塗布されている炭染料剤４によって海藻類やフジツボ類が付着し難い。又、これらが付着殖生しようとしても、この貝殻の外周面の炭染料剤が長期間に徐々に海水中に溶解分離されるため、この炭染料剤４と共に流されて付着できない状態に維持される。養殖中は、これら炭染料剤４が貝殻外周面に塗布されていても、これによって殺傷されるような害はなく、海藻類やフジツボ等がこの炭染料剤４を嫌がって貝殻の外周面に付着されないことにより、貝１の養分摂取を阻害することなく良好に維持される。【選択図】          図１
2004357684.tif 000002
【特許請求の範囲】
【請求項１】
炭微粒子をチッソ系乃至銅系の合成樹脂溶剤に混合した炭染料剤を、貝殻の外周面に塗布して海水中で養殖することを特徴とする貝類の養殖方法。
【発明の詳細な説明】
【０００１】
【発明の属する技術分野】
この発明は、貝類の養殖方法に関する。真珠貝（アコヤ貝）や、カキ、ホタテ貝、アワビ、サザエ等の養殖に利用できる。
【０００２】
【従来の技術】
真珠貝の養殖では、貝を網かごに収容させたり、針がねに保持させる等によって、海中に吊して養殖する。この養殖中の貝の周面には海藻類やフジツボ類が付着殖生するため、これらの付着が多くなると養殖中の網かごを海中から引き上げて、貝殻外周面に付着する海藻やフジツボ類を取除きながら、再度網かご内に収容して海中に戻して養殖する。
【０００３】
【発明が解決しようとする課題】
前記真珠貝のように養殖貝殻の外周面には、長期間にわたる養殖中には海藻類やフジツボ類の付着殖生が著しく、これを取除くためには多大の手数を要する。又、この貝殼外周面の掃除をしない場合は、貝の養分摂取が妨害されて養殖が遅れ、真珠養殖では真珠の品質が低下する。
【０００４】
【課題を解決するための手段】
請求項１に記載の発明は、炭微粒子をチッソ系乃至銅系の合成樹脂溶剤に混合した炭染料剤を、貝殻の外周面に塗布して海水中で養殖することを特徴とする貝類の養殖方法を講ずるものである。この炭染料剤を塗布した貝は海水中で長期間にわたり養殖されるが、この養殖中は貝殻の外周面に塗布されている炭染料剤によって海藻類やフジツボ類が付着し難い。又、これらが付着殖生しようとしても、この貝殻の外周面の炭染料剤が長期間に徐々に海水中に溶解分離されるため、この炭染料剤と共に流されて付着できない状態に維持される。養殖中は、これら炭染料剤が貝殻の外周面に塗布されていても、これによって殺傷されるような害はなく、海藻類やフジツボ等がこの炭染料剤を嫌がって貝殻の外周面に付着されないことにより、貝の養分摂取を阻害することなく良好に維持される。
【０００５】
【発明の効果】
貝の養殖は、貝殻の外周面に炭染料剤を塗布することによって行なうものであるから、簡単であり、養殖中は海藻類やフジツボ等の付着殖生を防止して、養殖貝の成育を促進することができる。又、貝殼から海藻類やフジツボ等を取除く等の作業行程が不要となるから、省力的養殖を行うことができると共に、炭染料剤が海水中に溶け出しても有害性はなく海水の汚染も少ない。
【０００６】
【発明の実施の形態】
この発明の実施例を説明する。貝類の養殖方法として、炭微粒子をチッソ系乃至銅系の合成樹脂溶剤に混合した炭染料剤を、貝殻の外周面に塗布して海水中で養殖することを特徴とする。例えば、アコヤ貝１を利用して真珠養殖を行う場合を例示すると、このアコヤ貝１の真珠の核入れや、アコヤ貝１を網かご２に収容させて海水３中に吊り下げた状態で養殖する行程は従来と略同じであるが、このアコヤ貝１は、貝殻の外周面には炭染料剤４を塗布した状態にして養殖する。この炭染料剤４は、炭微粒子を加酢してうる炭液を、チッソ系乃至銅系の合成樹脂溶剤からなる染料基剤に混合して生成したものである。ここに、炭としては竹炭、木炭、又は活性炭等からなり、竹炭や木炭は微粉化した状態のものを用いる。酢としては竹酢、又は木酢等を用いる。又、染料基剤としての合成樹脂溶剤は、ビニロールを２０％、キシロールを８０％の割合で包含するものを使用した。これら炭染料剤４の配合割合は、例えば、染料缶Ａに略一杯の染料基剤約２００ｌに対して、約５〜１０ｋｇの炭液を混入している。このような炭染料剤４は、分散機を用いて高速回転によって炭微粒子を溶液中に分散させる。
【０００７】
このようにして得られる炭染料剤４をアコヤ貝１の貝殻の外周面に塗布して、網かご２に収容させる。この網かご２は、紐５等で養殖用のいかだ６に吊下げて海水３中に浸漬させた状態にして養殖する。
【０００８】
このようにアコヤ貝１の外周面に塗布された炭染料剤４は、この中の合成樹脂溶剤によって海水３中に長期養殖中にわたり徐々に溶解されることとなる。ここに、炭や、酢、及び銅系乃至チッソ系の合成樹脂溶剤等は、いずれも殺菌性、消毒性、虫避け性等を有するも、殺虫性乃至殺傷性等は無く、従って、この貝殻１の外周面には海藻類やフジツボ類が付着殖生し難く、又、付着しようとしても、炭染料剤が徐々に解離されることによって流されて、付着を阻止できる。
【０００９】
しかも、これら付着される海藻類等によって養分を横取りされることなく、アコヤ貝１による養分の摂取を良好にして養殖成育を高めることができる。又、海水中に溶け出す炭染料剤４の炭は、直接アコヤ貝１の成育に有害となるもではなく、海水中にあっても汚染し難く公害にはならない。養殖中のアコヤ貝１には海藻類やフジツボ類の付着殖生が少ないため、この貝殻１の外周面を定期的に掃除して海藻類等を取り除く作業も不要となり、養殖を省力化することができ、良質の貝を効率的に養殖できる。
【図面の簡単な説明】
【図１】養殖貝の平面図と、この断面図。
【図２】真珠貝養殖の状態を示す斜視図。
【符号の説明】
１  貝
２  網かご
３  海水面
４  炭染料剤
【図１】
2004357684.tif 000003
【図２】
2004357684.tif 000004
(57)【要約】【課題】軍艦巻きは海苔がしけりやすく特にお持ち帰りのお寿司の軍艦巻きは、上に載っているネタがこぼれ易く崩れ易い。海苔の風味も損なわれる。【解決手段】ネタがこぼれにくく、くずれにくい、海苔の風味も味わえる。図５のようにセロハンもワンタッチで抜け易い。【選択図】図１
2004357682.tif 000002
【特許請求の範囲】
【請求項１】
海苔の湿り気を抑えたことを特徴とする軍艦のり巻き
【請求項２】
軍艦海苔をセロハンで挟んで巻いているのでネタ（食材）が直接海苔に触れるのを防ぐことを特徴とする請求項１記載のセロハン。
【発明の詳細な説明】
【０００１】
【発明の属する技術分野】
この発明は、お寿司の軍艦巻きに用いる海苔巻きに関する。
【０００２】
【従来の技術】
従来の軍艦巻きの寿司は、握ったシャリ（ご飯）に海苔を巻きに図２のようなネタを載せた物である。
【０００３】
【発明が解決しようとする課題】
しかしながら、以上の従来技術によれば、海苔が湿り易く、特に水分の多いネタが入る時は海苔がくずれネタが海苔の外へはみ出すことが多い。
そこで、この発明は、海苔が湿りにくく、ネタが保ちやすい寿司を提供することを課題とする。
【０００４】
【課題を解決するための手段】
以上の課題を解決するために、請求項１の発明は、海苔をセロハンではさんで巻き、シャリとネタを海苔に直接触れる事を防ぐことを特徴とする。
【０００５】
【発明の実施の形熊】
この発明の一実施形態を、図１に示す。
セロハンに海苔をはさんで、セロハンに図３のような切り込みを入れて止める所にシールをつけておく。
図４に示すようにセロハンの先の少し海苔が出ている所から、握ったシャリの中央より巻き、最後の止める所でシールをはがして貼る。
図１に示すようにシールを貼ったらネタを載せて出来上がり。
図５に示すようにセロハンを取る時は、シールをはがし、上に回して上げることによりセロハンが抜けて取れる。
【０００６】
【実施形態の効果】
この実施形態によれば、海苔の湿りを抑え、見た目にもきれいな軍艦海苔巻きが出来上がる。
【０００７】
【他の実施形態】
図２の実施形態では、海苔は湿り、うえに載せた軍艦のネタが海苔の合わせた所からこぼれやすい。
【０００８】
【発明の効果】
以上説明したように、この発明によれば、軍艦巻きの海苔が湿りにくくこぼれにくい。
時間が経ってもパリッとした食感で美味しく召し上がる事が出来る。
今までの軍艦巻きの概念を取り払うことができ、軍艦巻きの商品のバリエーションも増える。
【０００９】
また、シャリに海苔が直接触れる部分が少ないので海苔が長持ちする。
【図面の簡単な説明】
【図１】この発明の実施形態を示す斜視図である。
【図２】従来の技術を示す斜視図である。
【図３】この発明の原形。仕掛け手順１を示す斜視図である。
【図４】仕掛け手順２を示す斜視図である。
【図５】セロハンの取り方の斜視図である。
【符号の説明】
１  セロハン          ２  シール
３  海苔              ４  ネタ
５  シャリ
【図１】
2004357682.tif 000003
【図２】
2004357682.tif 000004
【図３】
2004357682.tif 000005
【図４】
2004357682.tif 000006
【図５】
2004357682.tif 000007
(57)【要約】【課題】吸い殻処理の不快感を解消する、水と紙コップを用いた使い捨て灰皿を提供する。【解決手段】任意の紙コップを挿入可能な容器本体と、水を入れる補助容器とよりなる使い捨て灰皿を提供する。【選択図】図１
2004357683.tif 000002
【特許請求の範囲】
【請求項１】
任意の紙コップを挿入可能な容器本体と該容器本体に連接された水を入れる補助容器とよりなる使い捨て灰皿。
【請求項２】
補助容器が着脱可能となるように着脱機構を介して容器本体に設けられたものであることを特徴とする、請求項１記載の使い捨て灰皿。
【発明の詳細な説明】
【０００１】
【発明の属する技術分野】
この発明は水と紙コップを用いた灰皿に関するものである。
【０００２】
【従来の技術】
従来の灰皿は、
（イ）  非可燃性の材質でできており、形は受け皿型になっていた。
（ロ）  缶製のもので上部に穴のあいたフタより構成されていた。
【０００３】
【この発明が解決しようとする課題】
これは、次のような欠点があった。
（イ）  灰皿で直接もみ消す場合、完全に火が消えない状態がしばしばあり火事になる恐れがあった。
（ロ）  たまった吸い殻を処分する時、灰が舞い大変煩わしかった。
（ハ）  水をはった灰皿の中に直接捨てた吸い殻は、処分する場所に困った。
（ニ）  吸い殻を捨てた後の灰皿を洗う手間がかかっていた。
本発明は、これらの欠点を解決するために発明されたものである。
【０００４】
【課題を解決するための手段】
任意の紙コップを挿入可能な容器本体（１）と、該容器本体に連接された水を入れる補助容器（２）とよりなる。本発明は以上のような構成からなる使い捨て灰皿である。
【０００５】
【発明の実施の形態】
以下、本発明の実施の形態について図１から図５を用いて説明する。
図１は本発明の斜視図、図２は本発明の断面図、図３は本発明の分解斜視図、図４は本発明の使用状態斜視図、図５は本発明の使用状態図である。
本発明は二つの収納部を有する容器本体１と、一方の収納部に収納される補助容器２とよりなっている。補助容器２は図に示すように収納部の形状にあった形状のもので、収納部深さより丈が長くなっており、開口部より補助容器２の上部が露出するようになっている。またもう一方の収納部は、任意の紙コップ３を収納できる形状となっている。また、その深さは紙コップ３の長さよりも短くなっているとともに、紙コップを収納した状態で、紙コップ３を安定して収納できるようになっている。
本発明は、以上の構成よりなっている。
本発明を使用する時は、火のついたタバコを、まず水の入った補助容器（２）につけ、消火する。消火した吸い殻を、紙コップ（３）に捨てる。紙コップにたまった吸い殻は、紙コップごとゴミ箱に捨て、新しい紙コップを、容器本体（１）に挿入する。補助容器（２）の水は、適時取り替える。なお図６に示すように容器本体（１）と補助容器（２）が着脱可能となるように容器本体（１）と補助容器（２）の間に着脱機構（５）を介してもよい。
【０００６】
【発明の効果】
本発明を使用することによって、
（イ）  水で消火する為、火事になる心配がない。
（ロ）  吸い殻処理時に舞う灰の、不快感から解放される。
（ハ）  使用後の灰皿を洗う手間がはぶける。
以上のような、吸い殻処理の苦痛を解決する。
【図面の簡単な説明】
【図１】本発明の斜視図である。
【図２】本発明の断面図である。
【図３】本発明の分解斜視図である。
【図４】本発明の使用状態斜視図である。
【図５】本発明の使用状態図である。
【図６】本発明の他の実施例を示す斜視図である。
【符号の説明】
１容器本体
２補助容器
３紙コップ
４水
５着脱機構
【図１】
2004357683.tif 000003
【図２】
2004357683.tif 000004
【図３】
2004357683.tif 000005
【図４】
2004357683.tif 000006
【図５】
2004357683.tif 000007
【図６】
2004357683.tif 000008
(57)【要約】【課題】釣り糸の連結作業は釣りをするためには必然的な作業の一つです。本発明の釣り糸の連結具の発明主旨はいかにその工程を単略化することです。【解決手段】釣り糸連結具要部６の上の釣り糸挿入口４から、上の釣り糸を挿入しもう一方の下の釣り糸挿入口５から下の釣り糸２を挿入し、ナット３を回すことによって（糸留めの外輪７に螺旋状の溝が形成されている）糸留めの外輪７が締まり上の釣り糸１と下の釣り糸２が釣り糸連結具要部内で連結される。【選択図】  図１
2004357688.tif 000002
【特許請求の範囲】
【請求項１】
本発明の請求項１は図１（Ａ）を参照説明します。
釣り糸連結具要部６の上の釣り糸挿入口４から、上の釣り糸を挿入しもう一方の下の釣り糸挿入口５から下の釣り糸２を挿入し、ナット３を回すことによって（糸留めの外輪７に螺旋状の溝が形成されている）糸留めの外輪７が締まり上の釣り糸１と下の釣り糸２が釣り糸連結具要部内で連結される。
【請求項２】
本発明の請求項２は図２（Ｂ）を参照説明します。
釣り糸連結具要部９の釣り糸挿入口４から上の釣り糸１を挿入しもう一方の下の釣り糸挿入口５から下の釣り糸２を挿入し図２の釣り糸連結具ストッパー１０を上に押し上げることによって図２の釣り糸連結要部９と図２の釣り糸連結具ストッパー１０がロックされ上の釣り糸１と下の釣り糸２が釣り糸連結具要部９内で連結される。
【請求項３】
前項、請求項１，２記載の釣り糸の材質に応じて釣り糸連結具の材質も異なる。
【発明の詳細な説明】
【０００１】
【発明の属する技術分野】
結ぼうとする釣り糸同士を連結具内で互いに交差させ圧抑させることにより糸同士が連結される。
【０００２】
【従来の技術】
従来釣り糸同士の連結は手で結んでいました、必要とする用途に対して必要とする結び方でまた視力の善し悪し手先の器用不器用によっては難易な作業でした。
【０００３】
【発明が解決しようとする課題】
釣り糸の連結作業は釣りをするためには必然的な作業の一つです。
本発明の釣り糸の連結具の発明主旨はいかにその工程を単略化することです。
【０００４】
【課題を解決するための手段】
釣り糸連結具要部６の上の釣り糸挿入口４から、上の釣り糸を挿入しもう一方の下の釣り糸挿入口５から下の釣り糸２を挿入し、ナット３を回すことによって（糸留めの外輪７に螺旋状の溝が形成されている）糸留めの外輪７が締まり上の釣り糸１と下の釣り糸２が釣り糸連結具要部内で連結される。
【０００５】
【発明の実施の形態】
釣り糸連結具要部９の釣り糸挿入口４から上の釣り糸１を挿入しもう一方の下の釣り糸挿入口５から下の釣り糸２を挿入し図２の釣り糸連結具ストッパー１０を上に押し上げることによって図２の釣り糸連結要部９と図２の釣り糸連結具ストッパー１０がロックされ上の釣り糸１と下の釣り糸２が釣り糸連結具要部９内で連結される。
【０００６】
【発明の効果】
本発明の釣り糸連結具を使用することにより、より短時間でまた簡単に糸を連結させることができる。
【図面の簡単な説明】
【図１】本考案の図Ａを斜め上から見た拡大斜視図
【図２】本考案の図Ｂを斜め下から見た拡大斜視図
【図３】本考案の下の釣り糸挿入口の拡大正面図
【符号の説明】
１  上の釣り糸
２  下の釣り糸
３  ナット
４  上の釣り糸挿入口
５  下の釣り糸挿入口
６  図１の釣り糸連結具要部
７  糸留めの外輪
８  糸留めの内溝
９  図２の釣り糸連結具要部
１０  図２の釣り糸連結具ストッパー本体
【図１】
2004357688.tif 000003
【図２】
2004357688.tif 000004
【図３】
2004357688.tif 000005
(57)【要約】【課題】慣行栽培農業から無農薬栽培農業への転換を短期間に遂行する事が出来る植物の育成を行う方法及び植物本来の生命力・自然力を十分に発揮させて、農薬を使用せず植物の育成を行う方法を提供する。【解決手段】酸化チタン、木炭、ミネラル及び放線菌を含有した環境浄化剤を散布もしくは潅水させることにより、残留農薬がなく、又病害虫に影響されることなく植物本来の自然力で生長することが可能となる。又改善期間も短期間で効果を表すことが出来る。【選択図】なし【特許請求の範囲】
【請求項１】
酸化チタン、木炭、ミネラル及び放線菌を含有した環境浄化剤を散布するようにしたことを特徴とする無農薬栽培方法
【請求項２】
酸化チタン、木炭、ミネラル及び放線菌を含有した環境浄化剤を潅水させるようにしたことを特徴とする無農薬栽培方法
【発明の詳細な説明】
【０００１】
【発明の属する技術分野】本発明は、植物本来の生命力・自然力を十分に発揮させて、農薬を使用せず、植物の育成を行う方法に関するものである。
【０００２】
【従来の技術】日本では改正ＪＡＳ法により少なくとも３年間、化学肥料や化学農薬を一切使用しない圃場で栽培した農産物を有機農産物と提議している。
つまり、それだけの時間を費やさなければ有機栽培に適する環境に還元できないということである。
【０００３】
【発明が解決しようとする課題】現在、慣行栽培農業から無農薬栽培農業への転換は、すぐにできないことが問題となっている。要因としては農薬・化学肥料によって土壌が劣化したことが挙げられる。
【０００４】
又圃場がたくさん並んでいる場合に、ある圃場だけで無農薬農業栽培を行おうとしても、周囲の圃場に農薬を空中散布してしまうと、農薬は風に流されて有機栽培の圃場に散布される可能性がでてくる。水田に流れ込む水についても、川の上流で農薬を使用したり、同じ水系を使う川上の水田で農薬を使用したりする場合も同じ問題が生じる可能性もある。
【０００５】
【課題を解決するための手段】上記課題を解決する為、本発明は酸化チタン、木炭、ミネラル及び放線菌を含有した環境浄化剤を散布するようにしたことを特徴とする無農薬栽培成方法を提供するものである。又酸化チタン、木炭、ミネラル及び放線菌を含有した環境浄化剤を潅水させるようにしたことを特徴とする無農薬栽培方法を提供するものである。
【０００６】
【発明の作用及び発明の効果】以下に本発明を説明する。酸化チタン、木炭、ミネラル及び放線菌を含有した環境浄化剤を効果のある期間に、植物の適合箇所に散布もしくは潅水させる。
【０００７】
環境浄化剤に含有されている酸化チタンは活性酸素の発生を増大させ伝染病菌、カビ、悪玉菌、残留農薬等の化学物質を吸着し分解する。
【０００８】
環境浄化剤に含有されているミネラルは地力を増強させ植物自体の抵抗性が向上し、又根の環境改善、根こぶ病の予防となる。
【０００９】
環境浄化剤に含有されている放線菌は善玉菌の増殖による病害菌の発生を抑制し、更には根張りを向上させ植物に活力を与え、環境浄化剤に含有されている木炭によりマイナスイオン等の効果も手伝い害虫は寄りにくくなる。
【００１０】
この環境浄化・改善を施しめて植物は残留農薬がなく、又病害虫に影響されることなく植物本来の自然力で生長することが可能となる。
又改善期間も短期間で効果を表すことが出来る。
【００１１】
【発明の実施の形態】次に、本発明の実施の形態を２つの実施例を用いて説明する。
【実施例１】リンゴ栽培果樹園で実施。
【００１２】
休眠期間中に５００倍に希釈した酸化チタン、木炭、ミネラル及び放線菌を含有した環境浄化剤を地面根元から５０ｃｍまでの枝先に散布。
【００１３】
休眠期間中に５００倍に希釈した酸化チタン、木炭、ミネラル及び放線菌を含有した環境浄化剤を木から５０ｃｍ離れた箇所から枝の先端部分の根が生えている箇所（土壌）に散布。
【００１４】
休眠期間中に５００倍に希釈した酸化チタン、木炭、ミネラル及び放線菌を含有した環境浄化剤を葉面にも散布。
【００１５】
休眠期間中に剪定箇所には原液の酸化チタン、木炭、ミネラル及び放線菌を含有した環境浄化剤を塗布。
【００１６】
結果：害虫の忌避効果や殺虫効果、灰星病の防除効果が表れたほか、根、葉の活用、成育促進などにも成果が表れた。又収穫されたリンゴ果実にも実験以前に使用していた農薬及び実験周辺で使用された農薬は検出されなかった。残留農薬検出結果は表１の通り。
【表１】
2004357632.tif 000002
【００１７】
【実施例２】稲作水田で実施。
代かき後に２００倍に希釈した酸化チタン、木炭、ミネラル及び放線菌を含有した環境浄化剤を散布。
【００１８】
籾を２００倍に希釈した酸化チタン、木炭、ミネラル及び放線菌を含有した環境浄化剤に２０〜３０分漬け、その後ザル等にとって籾を乾かす。
【００１９】
育苗箱等に種を蒔いた後、育苗箱全体に２００倍に希釈した酸化チタン、木炭、ミネラル及び放線菌を含有した環境浄化剤を散布。
【００２０】
田植え前に、育苗箱等にて二葉半の時に２００倍に希釈した酸化チタン、木炭、ミネラル及び放線菌を含有した環境浄化剤を散布。
【００２１】
田植え後、出穂前に２００倍に希釈した酸化チタン、木炭、ミネラル及び放線菌を含有した環境浄化剤を散布。
【００２２】
結果：害虫の忌避効果や殺虫効果が表れたほか、根、葉の活用、成育促進などにも成果が表れた。又収穫された稲の実にも実験以前に使用していた農薬及び実験周辺で使用された農薬は検出されなかった。残留農薬検出結果は表２の通り。
【表２】
2004357632.tif 000003
(57)【要約】【課題】有り合わせの空容器で、少量の野菜等を簡単に漬物として製造できるようにすることにある。【解決手段】野菜等の漬物材料Ａを収納する広口壜体１の蓋体４内面に装着される漬物用具であって、コイルスプリング５の上端に、蓋体４の頂板内面に吸着する吸盤６を着脱自在に設けると共に、コイルスプリング５の下端に、漬物材料Ａを押圧する押圧プレート９を着脱自在に設けた構成で、壜体１の大きさに応じて押圧プレート９を交換できるようにし、また壜体１はジャムの空壜等を利用することができる。【選択図】        図１
2004357657.tif 000002
【特許請求の範囲】
【請求項１】
漬物材料（Ａ）を収納する広口壜体（１）の蓋体（４）内面に装着される漬物用具であって、コイルスプリング（５）の上端に、前記蓋体（４）の頂板内面に吸着する吸盤（６）を設けると共に、コイルスプリング（５）の下端に、漬物材料（Ａ）を押圧する押圧プレート（９）を設けたことを特徴とする漬物用具。
【発明の詳細な説明】
【０００１】
【発明の属する技術分野】
本発明は、漬物を簡単に製造できるようにした漬物用具に関する。
【０００２】
【従来の技術】
様々な野菜を初め、海草、畜・魚肉等に調味料を加味し、一定の押圧力をこの食材に所定時間加えて漬物を製造することは、古来より広く行われている。
【０００３】
その典型的な形態は、桶に野菜を投入し、塩味や薬味を入れ、落とし蓋を被せて石等の重しを乗せる、というものである。
【０００４】
処が、この形態は家庭用といえども或る程度大型で野菜等の食材も多くなり、小人数の家族や、好みにバラツキがある場合には不適当であった。このような点に鑑みて従来は、例えば実開平２−１１３９８６号公報の「漬物器」、特開２００１−２８６２５８号公報の「漬物漬け器」等が提案されてきた。
【０００５】
これ等の従来技術は、食材を収納する容器の蓋体にバネを固定すると共にバネの下端に押圧板を固定した構成で、蓋を閉じることにより押圧板がバネの弾撥力を受けて食材を押圧するものである。
【０００６】
【発明が解決しようとする課題】
しかしながらこの従来例は、確かに小型ではあるもののあくまでも漬物を製造するための専用の容器であり、通常の容器としては使用できず、食材が漬かり過ぎないようにするには他の容器への移し代えが必要であり、或いは他の種類の漬物を製造する場合にも移し代えなければならなかった。
【０００７】
よって本発明は、この従来の不満点を解消し要求に応えるべく発明された漬物用具であって、押圧バネ等を着脱自在な構成とし、有り合わせの空容器で簡単に少量の漬物を製造できるようにすることを目的とする。
【０００８】
【課題を解決するための手段】
上述した従来の課題を解決する本発明は、漬物材料を収納する広口壜体の蓋体内面に装着される漬物用具であって、コイルスプリングの上端に、前記した蓋体の頂板内面に吸着する吸盤を設けると共に、コイルスプリングの下端に、漬物材料を押圧する押圧プレートを設けたことを特徴とする構成である。
【０００９】
【発明の実施の形態】
以下、本発明の実施の形態を説明すると、先ず、ここで用いられる壜体１は例えばジャムを収納していた空容器等の廃品であるが、胴部２と口筒３の直径がほぼ等しい所謂広口壜体であり、蓋体４は口筒３に対してアンダーカット式或いはスクリュー式で組み付けられる。
【００１０】
コイルスプリング５はステンレス製或いは合成樹脂製であって、その上端に、蓋体４の頂板内面に吸着する合成樹脂製の吸盤６を着脱自在に設けると共に、コイルスプリング５の下端に、ステンレス製或いは合成樹脂製の円盤形状の押圧プレート９を着脱自在に設ける。
【００１１】
吸盤６は弾性変形が自在な合成樹脂製で、円錐筒形状の変形部７の頂点に組付け片８を立設した構成で、縮径となったコイルスプリング５の上端に組付け片８を嵌装して一体化する。
【００１２】
また、押圧プレート９には複数の爪片１０が半抜き加工成形されてあり、コイルスプリング５の下端のリング線条をこの爪片１０に挟持させて組み付けるのである。
【００１３】
上記した構成にあって、所定容量の空容器である壜体１に、残り物等の少量の野菜等の食材Ａを好みの調味料を加えて収納し、頂板内面に吸盤６を吸着させて固定した蓋体４を、口筒３にアンダーカット或いは螺合組み付けする。
【００１４】
この場合、コイルスプリング５下端の押圧プレート９は野菜等の食材Ａにコイルスプリング５の弾撥力により適宜の圧力で弾接し、押圧することになる。
【００１５】
この弾撥力、押圧時間は、食材Ａの種類、量、好み等に応じて選択されるが、空き壜を利用する壜体１の形状は大小様々であり、胴部２の高さ及び直径は夫々異なるので、コイルスプリング５の全長、弾撥力、及びコイルスプリング５に対して着脱自在となった吸盤６または押圧プレート９の直径も相応に選択され、交換することになる。
【００１６】
【発明の効果】
以上説明したように本発明の漬物用具によれば、押圧弾撥材であるコイルスプリングが吸盤を介して壜体容器の蓋体に対して着脱自在であり、野菜等の漬物用食材を押圧する押圧プレートもコイルスプリングに対して交換自在であるので、ジャムなどを収納していた空の広口壜体を利用して、手軽に少量の漬物を製造することがでる。
【００１７】
また、時間的に或る程度漬けたならば、本発明の漬物用具を蓋体から外せば、壜体を単なる漬物収納容器として冷蔵庫に保管でき、それ故時間的に漬け過ぎといったことはなく、様々な空壜に対応して複数の漬物を製造でき、構成が簡単であって大量生産が安価に達成できる等、多くの優れた作用効果を奏する。
【図面の簡単な説明】
【図１】本発明の漬物用具を壜体に組み付ける姿勢の断面図である。
【図２】図１の斜視図である。
【図３】漬物用具の（ａ）は分解状態の、（ｂ）は組立て状態の斜視図である。
【符号の説明】
１；壜体、２；胴部、３；口筒、４；蓋体、５；コイルスプリング、６；吸盤、７；変形部、８；組付け片、９；押圧プレート、１０；爪片、Ａ；食材。
【図１】
2004357657.tif 000003
【図２】
2004357657.tif 000004
【図３】
2004357657.tif 000005
(57)【要約】【課題】この発明は個体を識別する機能と弾性，耐久性があり，文字面がプラスチックとプラスチックの間に挟まる事の内成化により文字が消えたり，傷がつかない機能を併せ持うた個体識別表示具に関するものである。金属質，紙質，硬プラスチック質がそれぞれに持っている欠点を解決している。【解決手段】本発明による個体識別表示具の材質として，プラスチックのポリウレタンエラストマーを使用する。ベースとして使うプレートには色を付け，その上面に個体識別の為に英字，数字を表示する。さらに，文字が摩擦または溶剤により消えたり傷が付かない様にする為に同質の透明材料にてコーティングの為インサート成形にて文字の上面に透明材料を融着させて一体のプレートとする。【選択図】図２
2004357660.tif 000002
【特許請求の範囲】
【請求項１】
ベースとなるプラスチックプレートと印刷，印字部と印刷，印字部をコーティングする為の透明なプラスチックプレートからなり，それらを一体的な形とした事を特徴とするプラスチック製の個体識別標識具。
【請求項２】
プラスチックのポリウレタンエラストマーをプラスチック射出成形の材料として使用する事により耐久性，耐候性，弾性にすぐれ，極度に曲げても元通り復元する機能を持つ事を特徴とする，請求項１の個体識別標識具。
【請求項３】
ベースとなるプレート面の印刷，印字上に同質の透明なプラスチック材料を皮膜する事により個体識別標識文字が傷つく事から防ぐ事が出来，また文字面が汚れた場合，強くこすったり，溶剤を使って汚れを落としても文字が消えない機能を持つ事を特徴とする，請求項１および請求項２の個体識別標識具。
【発明の詳細な説明】
【０００１】
【発明の属する技術分野】
この発明は，通常使用されてる標識具の印刷，印字を傷や汚れから保護する為に印刷，印字面のコーティングを透明材料にてインサート成形して作られた，一種のプラスチック製のタグのことを言う。
【０００２】
【従来の技術】
タグおよび個体識別標識具が耐久、耐候，弾性があり樹脂と樹脂の間に印刷，印字を施した製品は無く単純にプレート表面に印刷，印字だけした製品が使われている。
【０００３】
【発明が解決しようとする課題】
従来の標識具は過度の力が加わる事により，曲がったり又は破損したりした。また重度の摩擦により印刷，印字の文字が傷ついたり消えたりする問題が多く発生した。
【０００４】
【課題を解決するための手段】
標識具の材質を従来から使用されている金属質，紙質，硬プラスチック材質を使わずゴム性の軟プラスチック材にする。
【０００５】
また，数字，英字などの印刷，印字面の文字上にベースとなるプレートと同じ材質の透明樹脂を密着させる。
【０００６】
【発明の実施の形態】
次に本発明の実施の形態について述べる。
図１において，ベース１となる，プラスチックはポリウレタンエラストマー（いわゆるゴム弾性プラスチック材）を使用する。また，複数の色を使用することで，家畜，動物，植物と色分けして使用することが可能である。
【０００７】
印字，印刷は英字と数字の組み合わせで数万通りの組み合わせが可能である。例えばＡ０００１からＡ１０００までで１０００通りの組み合わせが有り，ＡからＺまで同様の組み合わせをする事で２６，０００通りの組合わせが可能である。
【０００８】
印字，印刷面をコーティングする成形品３は，透明であり，ベース１に密着して剥離しない事が必要である。
【０００９】
家畜，動物，植物などに取りつける為の取りつけ穴４が必要である
【００１０】
図２は本発明の基本構成の完成図である。
【００１１】
【発明の効果】
本発明によって，耐久性，耐候性，弾性が改善され，水，溶剤，紫外線，圧迫，摩擦などの厳しい条件下での使用が同時に解決している。
【図面の簡単な説明】
【図１】本発明の正面図および側面図。
【図２】本発明の基本構成図。
【符号の説明】
１  ベース
２  印字，印刷
３  コーティングする成形品
４  取り付け穴
【図１】
2004357660.tif 000003
【図２】
2004357660.tif 000004
(57)【要約】【課題】従来、黒糖は砂糖黍から絞り出した甘汁を煮詰めて製造しており、お茶の甘味料として別々に使用されていたが、黒糖そのものに、付加価値のあるものはできないものかと、羅布麻のお茶を混入して解決の課題とした。【解決手段】その結果、黒糖を煮詰める製造課程に於いて、黒糖が固まる前に、羅布麻茶、紅麻茶を微粉末又はエキスにしたものを嗜好品として添加混合すると、黒糖として固形化され羅布麻茶入黒糖が出来るので解決の手段とした。【選択図】図２
2004357674.tif 000002
【特許請求の範囲】
【請求項１】
羅布麻の葉を培煎乾燥して微粉末にして黒糖に混合した、羅布麻茶入黒糖。
【請求項２】
羅布麻の葉をジュース状にしてそのエキスを黒糖に混合した羅布麻茶入黒糖。
【請求項３】
羅布麻の紅麻茶を乾燥微粉末にして黒糖に混合した、請求項１の羅布麻茶入黒糖。
【請求項４】
羅布麻の紅麻茶をエキスにして黒糖に混合した、請求項１の羅布麻茶入黒糖。
【発明の詳細な説明】
【０００１】
【発明の属する技術分野】
羅布麻の葉を乾燥微粉末又はエキスにしたもの、又羅布麻の紅麻で製造した紅麻茶を乾燥微粉末又はエキスにしたものを黒糖に混合した、羅布麻茶、紅麻茶入黒糖に関するものである。紅麻茶は商標燕龍茶のことである。
【０００２】
【従来の技術】
従来の黒糖には羅布麻茶入の黒糖はなかった。
【０００３】
【発明を解決しょうとする課題】
従来、黒糖は砂糖黍から絞り出した甘汁を煮詰めて製造しており、お茶の甘味料として別々に使用されていたが、黒糖そのものに、付加価値のあるものはできないものかと、羅布麻のお茶を混入して解決の課題とした。
【０００４】
【課題を解決するための手段】
その結果、黒糖を煮詰める製造課程に於いて、黒糖が固まる前に、羅布麻茶、紅麻茶を微粉末又はエキスにしたものを嗜好品として添加混合すると、黒糖として固形化され羅布麻茶入黒糖が出来るので解決の手段とした。
【０００５】
【発明の実施の形態】
本発明の実施の形態を述べると、図１は流動状態の黒糖１で羅布麻茶の微粉末２を混入すると、図２の如く羅布麻茶入黒糖ができる。
又、羅布麻の全ての葉か、紅麻の葉を乾燥又はエキスにして、黒糖に混入することで、紅麻茶入黒糖、黒糖入羅布麻が出来上がる。
【０００６】
【発明の効果】
本発明の羅布麻茶入黒糖か黒糖入紅麻茶は黒糖の甘味料、嗜好品としての効能効果に羅布麻の薬用の効果がプラスするので黒糖の嗜好品、健康食品の付加価値が上がり、日常舐めるだけで、黒糖プラス羅布麻茶としての効用効果が顕著にあらわれ、付加価値の高い羅布麻茶入黒糖が提供できる。
又紅麻茶入黒糖が提供できることは日常生活の健康に貢献するものであり、
産業経済の発展に寄与するものである。
【図面の簡単な説明】
【図１】本発明の混入前の状態を示す斜視図
【図２】本発明の製品の状態を示す斜視図
【符号の説明】１は製造具の本体
２は黒糖
３は羅布麻茶の微粉末
４は羅布麻茶入黒糖
【図１】
2004357674.tif 000003
【図２】
2004357674.tif 000004
(57)【要約】【課題】従来使用していたものでは、海底への根掛かりが生じていた。本発明品は直接針に脱着可能であり、球状の形態で針が露出しない為、海底に根掛かりする事が無く水深計測の出来る事を課題としたものである。【構成】本発明は、球状のものに鉛を詰めたもので、開閉部から釣り用仕掛けの針をそのまま取りつけ、取り外しを可能としたものである。【選択図】図２
2004357679.tif 000002
【特許請求の範囲】
【請求項１】
ウキ釣り仕掛けの釣り針にそのまま取り付け、ウキの浮上力、オモリの沈下力の比率を利用し海面から海底の水深計測が可能となる釣り用水深計測治具。
【請求項２】
本体は球状であり、本体上部は開閉式で釣り針を全て入れ込む方式で、空気による浮上力が増さないように海水取り込み穴を加工。本体底部には、オモリを設けた釣り用水深計測用治具。
【発明の詳細な説明】
【０００１】
【発明の属する技術分野】
この発明は、作成したウキ釣り仕掛けの釣り針に直接取り付けるだけで、正確に水深を計測出来る事が可能となるものである。
【０００２】
【従来の技術】
従来では、専用のものは無く、浮力調整用割ビシ（鉛）にビニール紙を挟んだものを作成し、ビニール部に釣り針を刺した状態で使用していた。よって、数回使うとビニール紙が破損し使用出来なくなっていた。又、釣り針が露出している為、海底の岩や海草に根掛かりし、仕掛け自体を切れて無くしてしまう事もある。
【０００３】
【発明が解決しようとする課題】
従来使用方法では針が露出していた為、使用の際、海底への根掛かりが生じていた。本発明品は直接釣り針に脱着可能であり、球状の形態で釣り針も全く露出しない為、海底に根掛かりする事が無くし、簡単に水深計測が可能となる事を課題としたものである。
【０００４】
【課題を解決する為の手段】
本発明では、開閉式で釣り針を包み込む方式を採用し、開閉部には本体が針から外れない様ストッパー加工を施す。本体の形状も根掛かり防止の為、球状の形状とし前記課題を解決した。
【０００５】
【発明実施の形態】
釣り用水深計測治具の使用方法について説明する。
図２の（４）に示す本体の直上中心部に穴を空け、釣り糸が通る様に加工する。
図２の（５）に示す上部開閉部を開き、釣り用仕掛けの釣り針部を包み込み使用する。
図２の（６）に示す本体の側面に穴を空け、海水を取り込める様に加工する。
図２の（７）に示す本体の底に鉛等のオモリを詰める。
【０００６】
【発明の効果】
本発明品は、作成したウキ釣り仕掛けの釣り針に、そのまま脱着可能となり、球状の形態で釣り針も露出しない為、海底にて根掛かりする事も無く簡単に水深をを計測する事が可能となる。
【図面の簡単な説明】
【図１】従来型の使用図である。
【図２】本発明の側面図、上面図、開口時上面図である。
【図３】本発明の取り付け図である。
【図４】釣り用水深計測治具使用例の図である。
【符号の説明】
（１）  釣り針。
（２）  浮力調整用割ビシ。
（３）  ビニール紙。
（４）  本体直上の釣り糸通し用穴。
（５）  釣り用水深計測治具開閉部（開口口ストッパー加工付き）。
（６）  海水取り込み用穴。
（７）  釣り用水深計測治具鉛等を入れる部分。
（８）  釣り糸。
（９）  取り付け後の釣り針。
（１０）  ウキから釣り針までの調整した長さが、水深より短い場合の図。
浮上力が１（ウキ１号）、沈下力が２（水中オモリ１号＋釣り用水深計測治具１号）となる為、沈下力が増しウキ１号が海面より沈む。
（１１）  ウキから釣り針までの長さが、水深と同等となり水深が判明した場合の図。
（１２）  ウキから釣り針までの長さが、水深より長い場合の図。
ウキ１号が海底に到着した場合、ウキ１号への負荷は、水中オモリの１号のみとなる為、ウキは定常の位置となる。
【図１】
2004357679.tif 000003
【図２】
2004357679.tif 000004
【図３】
2004357679.tif 000005
【図４】
2004357679.tif 000006
(57)【要約】      （修正有）【課題】化学肥料や農薬等で低下した地力を向上させる。【解決手段】ビール粕、コーヒー粕、醤油粕、魚アラ粕、製紙スラッジ、木くず、チップおよび汚泥等を生石灰および澱粉糊とともに混合して、発酵・乾燥させ、プレス機にてカップ状に成形してグリンカップを得る。このグリンカップに土を入れて野菜等の苗を育苗し、苗をグリンカップごと畑に移植することにより、根痛みもなく、グリンカップが分解して土に戻って有機肥料となることで、野菜の発育が非常に良い。【選択図】  図１
2004357680.tif 000002
【特許請求の範囲】
【請求項１】
・
・
【発明の詳細な説明】
【０００１】化学肥料や農薬等で低下した地力アップを向上させる目的。
使用禁止になったＰＣＢ・ＢＨＣ・ホリドール等の散布によって地中の微生物が死に、人間にも悪影響を与えている３０年後の現在、半身不随・下半身マヒ・パーキンソン病・痴呆症等が現れている。
下水汚泥等には有機物肥料になる要素が一杯で有り絶対に土づくりに必要と思われる。
【発明に属する技術分野】
【０００２】
（公序良俗違反につき、不掲載）両先生との共同研究でグリンカップを製造し、カップの中に入れる土も勿論のこと、カップに野菜等の苗を移植し、水やり開始後一ヶ月位で解け４０〜５０日位で分解し土に戻り、肥料となり、植痛みがなく発育が非常に良い。
分解までの日数・固形剤を研究した。
【従来の技術】
【０００３】現在でもビニールで作ったカップ・国外で作ったダンボールと溶かしたカップは有るが、ビニールは何回かは使えるが廃棄に困っている。
【発明が解決しようとする課題】
【０００４】
カップから取り出して苗物を植える場合、植痛みする発育が止った様にも見えると農薬をやる。農薬は大量に人間が一度に呑むと死に至る。なるべく低農薬で育てないと農薬含みの食物を口にする事となり、人間の健康を阻害する。
抵抗力がなくなり、一寸した流行性の病気に負ける事となるのではと思われる。
【グリンカップ】
2004357680.tif 000003
福井県に変更届けた品目の動植物残査の許可が遅れたのと完成品になるのに色々と問題がおこり、ようやく完成した。
【図１】
2004357680.tif 000004
【手続補正書】
【提出日】平成15年10月7日(2003.10.7)
【手続補正３】
【補正対象書類名】明細書
【補正対象項目名】特許請求の範囲
【補正方法】変更
【補正の内容】
【特許請求の範囲】
【請求項１】
廃棄物のリサイクル品で野菜苗等を移植し、成長した時点で畑にカップごと植え込み３０〜４０日で溶解し、肥料土となる。
【手続補正４】
【補正対象書類名】明細書
【補正対象項目名】図面の簡単な説明
【補正方法】変更
【補正の内容】
【図面の簡単な説明】
【図１】環境にやさしいグリンカップの構成図
(57)【要約】      （修正有）【課題】健康の維持促進のために、簡単につくれる飲料水、及び飲食品材料を提供する。【解決手段】紫王水の試製造は、源水を天然鉱泉水（成分表添付）とし、着色原料は古代米表皮部分の紫色素の溶融からなっている。この紫王水を飲料水とする。又、この紫王水に蜂蜜や砂糖等を溶かして煮詰めた液と、蜜柑、梅、林檎、葡萄等の果汁や、野菜、薬草等の青汁等を混ぜ合わせ、シロップをつくる。さらに、古代米を蒸し煮して麹菌を繁殖させ、紫麹をつくる。【選択図】図２
2004357673.tif 000002
【特許請求の範囲】
【請求項１】
器に入れた水に古代米を入れ、紫色の飲料水（紫王水）を作る。
【請求項２】
器に入れた水に古代米を入れて作った飲料水（紫王水）に蜂蜜や砂糖等を溶かして煮詰めた液と、蜜柑、梅、林檎、葡萄等の果汁や、野菜、薬草等の青汁等を混ぜ合わせたシロップをつくる。
【請求項３】
古代米を蒸し煮して麹菌を繁殖させ、紫麹をつくる。
【発明の詳細な説明】
【０００１】
【産業上の利用分野】
この発明は、１００％天然素材で精製された飲料水として、又、飲食品加工の添加材や基材として利用される。
【０００２】
【従来の技術】
飲料水や、飲食品の加工添加材料には、一般的に人工着色料や、人工調味料等が使われている例が多い。
【０００３】
【発明が解決しようとする課題】
厚生省の発表によると、日本人の八割は年に一回以上医者にかかるのだそうである、そして病人も年々若年化の傾向だそうである、原因を農薬、化学肥料、水質汚染、洗剤、加工飲食料等指摘もあるが、これらは人々が便利さを求めた結果であろう。この様な状況下で、いかにして健康を回復し、病気から身を守るかが大きな課題である。
【０００４】
【課題を解決するための手段】
紫王水をつくる水を地下１５０メートル以下の地下水又は、温泉水を使用し、水質は酸化還元電位−３００ｍｖ  以下、クラスター値１００ｈｚ（２０°）、天然ゲルマニュウムの含有量０．５ｐｐｂ、ｐｈ  ７、５  の天然アルカリイオン水、天然ビフォアクロレラ等を含む良質の天然水とし、着色色素は、日本産の、無農薬栽培による古代米（黒米）の表皮部分から抽出した紫色素を使用して、健康回復、健康維持促進に効果のある飲料水（紫王水）をつくる。
【０００５】
【作用】
紫王水の源水自体が、健康回復、健康維持促進に効果がある成分を多量含んでいるが、栄養豊富な古代米から抽出した紫色素は制癌効果が期待（今後の研究を待つ）できるとともに、鮮やかな紫は、まさに、古代の彩香であり、飲む人を古代のゆめ路へ誘い、心を和らげる。
【０００６】
【実施例】
以下、本発明の実施例について説明する。
（イ）容器（１）に源水（２）を２０００ｇを入れる。
（ロ）源水（２）が２０００ｇ入った容器（１）に適量（５０ｇ〜２００ｇ）の古代米（３）を入れる。
（ハ）容器（１）に源水（２）と古代米（３）を入れたまま約３０分静置しておくと、古代米（３）の紫色素（４）が源水（２）と溶融する、さらに古代米（３）を撹拌して溶融を速める。
（ニ）古代米（３）は容器（１）の下部に沈殿し、上部に紫溶水（５）ができる。
（ホ）紫溶水（５）を清浄  濾過して紫王水（６）ができる。
【０００７】
【発明の効果】
本発明の飲料水に豊富に含まれる活性水素、天然ゲルマニウム、天然ビフォアクロレラ天然ミネラル等のはたらきで、疲労を回復し、健康を維持促進するとともに、鮮やかな紫色は、飲む人の心を和らげて、ストレスを解消する効果がある。
【図面の簡単な説明】
【図１】本発明の、容器（１）に源水（２）を入れた断面図である。
【図２】本発明の、源水（２）に紫色素（４）を含んでいる古代米（３）を入れた断面図である。
【図３】本発明の、紫溶水（５）を濾過してできた紫王水（６）が入った容器の断面図である。
【符号の説明】
１  容器（１）
２  源水（２）
３  紫色素（４）を含む古代米（３）
４  古代米（３）に含まれる紫色素（４）
５  紫色素（４）が源水（２）に溶融してできた紫溶水（５）
６  紫溶水（５）を濾過してできた紫王水（６）
【図１】
2004357673.tif 000003
【図２】
2004357673.tif 000004
【図３】
2004357673.tif 000005
(57)【要約】【課題】豆腐製造過程で発生する、大豆の絞り粕（おから）を主成分として焼成する動物用焼き菓子を提供するものである。【解決手段】おから（２）を主成分として、小麦粉、澱粉粉等のつなぎ（４）を混入１（Ｓ１）、ミキシング（Ｓ２）し、煎餅状またはビスケット状に成型（Ｓ３）して、動物用焼き菓子を焼成（Ｓ４）する。また、動物の嗜好や栄養補給を目的として肉類、骨粉、穀物等を５０％を超えない範囲で添加物（５）として製造することができる。【選択図】        図１
2004357677.tif 000002
【特許請求の範囲】
【請求項１】
豆腐製造過程で発生する大豆の絞り粕（おから）を主成分とし小麦粉または澱粉粉等をつなぎとして、焼成して得られる動物用焼き菓子。
【請求項２】
豆腐製造過程で発生する大豆の絞り粕（おから）を、５０％以上含有し、動物の嗜好、栄養分の補給に合わせ肉類（畜肉、魚肉）、骨粉または穀物を適宜加え小麦粉または澱粉粉等をつなぎとして、焼成して得られる動物用焼き菓子。
【請求項３】
前記請求項１、請求項２、に記載の焼き菓子の製造方法。
【発明の詳細な説明】
【０００１】
【発明の属する技術分野】本発明は、豆腐製造の過程で発生する、おからを用いた動物用焼き菓子とその製造に関するものである。
【０００２】
【従来の技術】従来の動物用焼き菓子は、麦粉、小麦粉、大豆粉等の穀類を主成分として焼き上げたものである。
【０００３】
動物の嗜好に合わせて植物油、ブドウ糖、繊維質、香料等を加えたものが製造されていた。
【０００４】
一方、豆腐製造の過程で発生する豆乳の絞り粕（おから）は、うの花料理等の食用、もしくは家畜の餌として使用されているが、ほとんど廃棄物として捨てられている。
【発明が解決しようとする課題】輸入穀物が安価といえ、穀類を主成分とした動物用焼き菓子は高価である。おからの廃棄用を使用し動物用焼き菓子として再使用することにより廉価な製造ができる。
【０００５】
副次的効果として、本発明により廃棄物の削減ができる。
【０００６】
【課題を解決するための手段】従来、大豆の絞り粕（おから）はその少量が料理や未加工のまま家畜の餌として使用されている以外は、大半は廃棄物として捨てられていた。その理由は、おからは水分が多く腐敗しやすいため保管しにくいこと、料理の消費量が発生量より極めて少ないこと、家畜農家と発生地が異なり輸送が困難なこと等の問題点があった。
【０００７】
本発明は、上述した問題を解決するために、煎餅またはビスケット状に焼き上げ保存と携帯の利便性を提供するものである。
【０００８】
【発明の実施の形態】この目的を達成するために請求項１記載の動物用焼き菓子は、本発明の基本となる、おからとつなぎ粉からなる最も安価に開発したものである。
【０００９】
請求項２記載の動物用焼き菓子は、動物（家畜やペット）の嗜好や栄養の補給を考慮した発明である。
【００１０】
【発明の効果】本発明により、従来廃棄されていた大豆の絞り粕（おから）を動物用の餌として活用することにより廉価な食品の供給が可能に出来る。
【００１１】
おからの再利用により、処理製造経費の削減と食料資源の有効利用を図ることができる。
【００１２】
焼成することにより、陳腐性のあるおからを保存や取扱をよくする効果がある。
【図面の簡単な説明】
【図１】本発明の一実施例である動物用焼き菓子の製造方法を示したフローチャートである。
【図２】第二実施例の動物用焼き菓子の製造方法を示したフローチャートである。
動物の嗜好や栄養分の補強として、肉類、骨粉、穀類等の添加物を追加したものである。
【符号の説明】
１      大豆（豆腐原料）
２      おから
３      豆乳（参考表示：豆腐に加工）
４      つなぎ粉（小麦粉・澱粉粉等）
５      添加物（肉類・骨粉・穀物等）
Ｓ１    つなぎ粉混入工程
Ｓ１′  添加物混入工程（肉類・骨粉・穀物等）
Ｓ２    ミキシング（混合工程）
Ｓ３    成型工程（煎餅・ビスケット状に成型）
Ｓ４    焼成工程（焼き上げ）
【図１】
2004357677.tif 000003
【図２】
2004357677.tif 000004